(57)【要約】【課題】  袋体収容ダンボール箱の強度維持、袋体内の空気の置換効率、収納量の正確化を期し、袋体のリサイクルの確保とその利便性を果たし袋密封作業の省力化・効率化を図る。【解決手段】  底面部４及び該底面部４の周りで立ち上がる前後両面部５，６、左右両側面部７，８を有しかつ頂部に広口の開口９が設けられて、規定量の農産品を収納した後、その上に所定量のドライアイスを投入した状態で、前記開口９寄りのシール部３を気密封止することにより、ガスバリヤ性を有する密封袋となし得る平坦折り畳みが可能な縦置き用の袋体１に形成され、左右両側面部７，８の少なくともいずれか一方の面における底面部４寄り下部に、袋体１内からの気体の流出を許容し該袋体１内への気体の流入を阻止する逆止弁２が設けられる。【選択図】    図２
0003110891.tif 000002
【実用新案登録請求の範囲】
【請求項１】
底面部（４）及び該底面部（４）の周りで立ち上がる前後両面部（５・６）、左右両側面部（７・８）を有しかつ頂部に広口の開口（９）が設けられて、規定量の農産品を収納した後、その上に所定量のドライアイスを投入した状態で、前記開口（９）寄りに設けられたシール部（３）を気密封止することにより、ガスバリヤ性を有する密封袋となし得る平坦折り畳みが可能な縦置き用の袋体（１）に形成され、
前記左右両側面部（７・８）の少なくともいずれか一方の面における前記底面部（４）寄りの下部に、袋体（１）内からの気体の流出を許容し該袋体（１）内への気体の流入を阻止する逆止弁（２）が設けられてなることを特徴とする農産品の保質用収納袋。
【請求項２】
底面部（４）及び該底面部（４）の周りで立ち上がる前後両面部（５・６）、左右両側面部（７・８）を有しかつ頂部に広口の開口（９）が設けられて、規定量の農産品を収納した後、その上に所定量のドライアイスを投入した状態で、前記開口（９）寄りに設けられたシール部（３）を気密封止することにより、ガスバリヤ性を有する密封袋となし得る平坦折り畳みが可能な縦置き用の袋体（１）に形成され、
前記左右両側面部（７・８）の少なくともいずれか一方の面における前記底面部（４）寄りの下部に、袋体（１）内からの気体の流出を許容し該袋体（１）内への気体の流入を阻止する逆止弁（２）が設けられ、
前記シール部（３）は、上下に平行に隣合わせた数行の溶着シール部分（１１ａ）〜（１１ｄ）を備えると共に、各溶着シール部分（１１ａ〜１１ｄ）間に切り取り線（１２）を印刷表示してなり、前記袋体（１）を反復使用するのに応じてその都度各溶着シール部分（１１ａ〜１１ｄ）を変更して加熱手段による気密封止が可能なように形成されてなることを特徴とする農産品の保質用収納袋。
【請求項３】
底面部（４）及び該底面部（４）の周りで立ち上がる前後両面部（５・６）、左右両側面部（７・８）を有しかつ頂部に広口の開口（９）が設けられて、規定量の農産品を収納した後、その上に所定量のドライアイスを投入した状態で、前記開口（９）寄りに設けられたシール部（３）を気密封止することにより、ガスバリヤ性を有する密封袋となし得る平坦折り畳みが可能な縦置き用の袋体（１）に形成され、
前記前後両面部（５・６）に比して狭幅のマチ部としての前記左右両側面部（７・８）の少なくともいずれか一方の面における前記底面部（４）寄り下部の縦中心線（１０）の近傍に、袋体（１）内からの気体の流出を許容し該袋体（１）内への気体の流入を阻止する逆止弁（２）が設けられてなることを特徴とする農産品の保質用収納袋。
【請求項４】
底面部（４）及び該底面部（４）の周りで立ち上がる前後両面部（５・６）、左右両側面部（７・８）を有しかつ頂部に広口の開口（９）が設けられて、規定量の農産品を収納した後、その上に所定量のドライアイスを投入した状態で、前記開口（９）寄りに設けられたシール部（３）を気密封止することにより、ガスバリヤ性を有する密封袋となし得る平坦折り畳みが可能な縦置き用の袋体（１）に形成され、
前記シール部（３）は、上下に平行に隣合わせた数行の溶着シール部分（１１ａ〜１１ｄ）を備えると共に、各溶着シール部分（１１ａ〜１１ｄ）間に切り取り線（１２）を印刷表示してなり、前記袋体（１）を反復使用するのに応じてその都度各溶着シール部分（１１ａ〜１１ｄ）を変更して加熱手段による気密封止が可能なように形成され、
前記前後両面部（５・６）に比して狭幅のマチ部としての前記左右両側面部（７・８）の少なくともいずれか一方の面における前記底面部（４）寄り下部の縦中心線（１０ａ）を挟む両側に対をなすように、袋体（１）内からの気体の流出を許容し該袋体（１）内への気体の流入を阻止する逆止弁（２）が設けられてなることを特徴とする農産品の保質用収納袋。
【考案の詳細な説明】
【技術分野】
【０００１】  本考案は、茶葉（日本茶・中国茶・紅茶等）、漢方薬草、胡麻その他香辛料等の収容物品（以下、これらを総称して「農産品」という）における、風味・香味など本来固有の味について長期に亘り鮮度、品質を良好に保持するための品質保持用保存袋等の、相当期間を通じ気密性が要求される広口構造の保質用収納袋に関する。
【背景技術】
【０００２】  この種の袋の一例である茶葉保存用の収納袋は、中間層にアルミニウム箔の層を有する三層構造で、少なくともその内面側の層は熱溶着可能な樹脂コーティング処理を施してなる製袋用シートを素材として、広口に開かせた開口を頂部に備える縦置き用の袋体に形成されたものであり、折り畳みが可能で全体としてガスバリヤ性を持つ保存袋であって、例えば幅４９０ｍｍ、奥行３６０ｍｍ、最大高さ１１００ｍｍの大きさに構成されている。【０００３】  この保存袋は、一次加工した荒茶（以下単に「茶葉」という）を約２０ｋｇ袋内に収納して開口をクランプなどの封止手段により開閉可能に封止するとともに、後述するように内部の空気をドライアイスの昇華ガス（二酸化炭素ＣＯ２）で強制置換する状態に保持してダンボール箱内に収容し、倉庫などの保管場所に一時的に保管する。なお、開口を開閉可能に封止させる封止手段としては、クランプの他に開口端部を数巻きに丸め込ませて粘着テープで係止する、また、袋口部を熱溶着でシールする等、通常行われる簡易な封止方法を採用することが可能であるが、品質保持を図る観点から気密性を有する封止方法でなければならないのは勿論のこと、袋のリサイクル性を確保する上で袋に損傷を与えずにかつ気密性が低下することなく反復使用ができる構造の封止手段が望まれている。【０００４】  ところで、従来の典型的な先行技術として挙げられる下記特許文献１によれば、先に収納袋内にドライアイスを適量投入した後で茶葉を収納し、収納袋の上部に設けた逆止弁を介して該袋内の空気をドライアイスの昇華ガスで置換させていたが、ドライアイスの投入量が不確定であるとそれに応じて茶葉の量にバラつきが生じる問題がある。また、収納袋の低部に投入したドライアイスにより結露ができてダンボール箱の底が濡れて当該ダンボール箱の強度不足を来たす。そこで、先に規定量の茶葉を収納した後で、その収納茶葉上にドライアイスを投入すると、昇華ガスは空気よりも比重が大きいにもかかわらず上部に設けた逆止弁から短絡的に漏れ出て空気との置換効率が低下し品質劣化の問題が懸念される。【０００５】
【特許文献１】実用新案登録３０９９２２７号公報（段落［００１４］［００１５］及び図１）
【考案の開示】
【考案が解決しようとする課題】
【０００６】  本考案は、従来の先行技術がダンボール箱の強度保持性、空気の置換効率、秤量精度の各面で不利がある点に着目して成されたものであって、従って本考案はダンボール箱の強度維持、空気の置換効率、正確量収納の向上を期し、更に袋のリサイクル（反復使用）の確保とその利便性を果たすとともに袋密封作業の省力化・効率化を図ることを主要な目的とする。
【課題を解決するための手段】
【０００７】  上記目的を達成するべく、請求項１に記載の考案は、底面部４及び該底面部４の周りで立ち上がる前後両面部５・６、左右両側面部７・８を有しかつ頂部に広口の開口９が設けられて、規定量の農産品を収納した後、その上に所定量のドライアイスを投入した状態で、前記開口９寄りに設けられたシール部３を気密封止することにより、ガスバリヤ性を有する密封袋となし得る平坦折り畳みが可能な縦置き用の袋体１に形成され、前記左右両側面部７・８の少なくともいずれか一方の面における前記底面部４寄りの下部に、袋体１内からの気体の流出を許容し該袋体１内への気体の流入を阻止する逆止弁２が設けられてなることを特徴とする農産品の保質用収納袋である。【０００８】  請求項２に記載の考案は、前請求項１に記載の構成に加えて、前記シール部３が、上下に平行に隣合わせた数行の溶着シール部分１１ａ〜１１ｄを備えると共に、各溶着シール部分１１ａ〜１１ｄ間に切り取り線１２，１２を印刷表示してなり、前記袋体１を反復使用するのに応じてその都度各溶着シール部分１１ａ〜１１ｄを変更して加熱手段による気密封止が可能なように形成されることを特徴とする。【０００９】  請求項３に記載の考案は、前請求項１に記載の構成に加え、前記逆止弁２が、前記前後両面部５・６に比して狭幅のマチ部としての前記左右両側面部７・８の少なくともいずれか一方の面における前記底面部４寄り下部の縦中心線１０の近傍に設けられてなることを特徴とする。【００１０】  請求項４に記載の考案は、前請求２に記載の構成に加え、前記逆止弁２が、前記前後両面部５・６に比して狭幅のマチ部としての前記左右両側面部７・８の少なくともいずれか一方の面における前記底面部４寄り下部の縦中心線１０ａを挟み両側の箇所に対をなすように設けられてなることを特徴とする。【００１１】  請求項１に記載の考案によれば、規定量の農産品を収納の後、その上に所定量のドライアイスを投入した状態で、前記開口９寄りの上部を気密封止するようにすることで、先行して投入する農産品はドライアイスの量に左右されること無く正確な規定量のものを収納できる。また、逆止弁２を袋体１の下部に設けたことにより、ドライアイスの昇華ガスが短絡的に逆止弁２から排出されることがなくなり、袋体１内の残存空気、とりわけ農産品中に取り込まれている空気を時間経過と共に昇華ガスによって置換させることが可能となり、置換効率を高めて収納品の品質保持が図れる。【００１２】  また、請求項２に記載の考案によれば、前記シール部３が、上下に平行に隣合わせた数行の溶着シール部分１１ａ〜１１ｄを備えると共に、各溶着シール部分１１ａ〜１１ｄ間に切り取り線１２を印刷表示したことにより、リサイクル（再使用）に際して、開口９に近い方の切り取り線１２に隣合う溶着シール部分１１ｂを熱溶着シールすることにより密封処理を万全に行わせることが出来る。【００１３】  請求項３又は請求項４に記載の考案によれば、内側へ折りたたみ癖を有するマチ部としての左右両側面部７・８が袋体を収容するダンボール箱の内側面に圧接するのを免れることから、当該左右両側面部７・８の少なくともいずれか一方の面における前記底面部４寄りの下部に前記逆止弁２を設���ることで、逆止弁２がダンボール箱の内側面に圧接するのを免れる。これにより逆止弁２の逆止機能が確保される。
【考案の効果】
【００１４】  本考案によれば、後で投入するドライアイスの量に左右されることなく袋体内に規定量の農産品を収納できるので秤量精度を高めることが可能である。また、逆止弁を下部に設けたことでドライアイス昇華ガスの短絡的な排出を解消して空気との置換効率を向上し得る。【００１５】  また、本考案によれば、袋体内に収納した農産品の上にドライアイスを投入することにより、ダンボール箱の底部が結露により濡れるという現象を解消でき、ダンボール箱の強度低下が免れる。しかも、シール部が、上下に平行に隣合わせた数行の溶着シール部分を備えると共に、各溶着シール部分間に切り取り線を印刷表示することにより、リサイクルに際しての密封処理が簡単・確実に行えて経済性、省力化に優れる収納袋を提供することが可能である。さらに、折りたたみ癖を有するマチ部としての左右両側面部の少なくともいずれか一方の面における前記底面部寄りの下部に前記逆止弁を設けることで、逆止弁２がダンボール箱の内側面に圧接するのを免れる。これにより逆止弁２の逆止機能が確保される。
【考案を実施するための最良の形態】
【００１６】  本考案の好適な実施形態を、各種の保質用収納袋の中から一例として挙げられる茶葉用の収納袋について添付図面を参照しつつ以下に説明する。
図１〜図３はいずれも本考案の第１の実施形態に係るガゼット袋体の外観斜視図であり、図１はその袋体の開口を開いた状態を示し、図２はその袋体を縦置して一部を省略・切欠した状態を示し、図３はその袋体内に茶葉等農産品を収納し開口を閉じて一部を省略・切欠した状態を示す。【００１７】  このガゼット袋体１は、中間層にアルミニウム箔の層を有する三層構造で、少なくともその内面側の層は溶着可能な樹脂コーティング処理を施してなる製袋用シートを素材とし、その縦縁部１４ａ、底縁部１４ｂ及び４箇所の底コーナ部１４ｅは熱溶着で気密封止されるとともに、左右両側面部７・８の下端縁部１４ｄ・１４ｄは前後両面部５，６の底縁部１４ｂと一体に熱溶着で気密封止され、当該左右両側面部７・８はマチ部として機能するように構成されている。そして、この袋体１を使用可能に縦置した状態では、図２・図３に示すように、底面部４及び該底面部４の周りで立ち上がる前後両面部５・６、左右両側面部７・８を有し、かつ頂部に広口の開口９が設けられてなり、例えば幅４９０ｍｍ、奥行３６０ｍｍ、最大高さ１１００ｍｍの大きさでマチ付のリサイクル可能な袋体に形成されている。【００１８】  この袋体１のマチ部として機能する左右両側面部７・８は、前後両面部５・６に比して狭い幅に形成されていて、縦中心線１０と一体をなす谷折り線を備えており、不使用時には図１に示すように、左右両側面部７・８を谷折り線１０に沿って折り込ませることで平坦折り畳みが可能で、使用時には図２に示すように、その下部を拡げて縦置きすることにより、その内部に茶葉等及びドライアイスを収容できる。このガゼット袋体１は、その後開口９寄りのシール部３を気密封止することにより、ガスバリヤ性を有する密封袋となし得る。【００１９】  このガゼット袋体１は、規定量の前記茶葉を収納した後、その上に直接所定量の粒状ドライアイスを投入した状態で、前記開口９寄りのシール部３を気密封止することにより、ガスバリヤ性を有する密封袋として茶葉を長期間に亘り品質保持し得るようになっている。さらに、マチ部としての前記左右両側面部７・８における前記底面部４寄りの下部には、袋体１内からの気体の流出を許容し該袋体１内への気体の流入を阻止する逆止弁２が設けられている。この逆止弁２は、前記左右両側面部７・８における前記底面部４寄りの下部（具体的には例えば底面部４から約５０ｍｍ離れた上方位置）で、縦中心線１０の近傍に各１個、左右で１対をなすように設けられている。なお、上記実施形態では左右で１対をなすように逆止弁２を設けたが、当該逆止弁２のガス流通量によっては、左右両側面部７・８の少なくともいずれか一方の面における前記底面部４寄りの下部に前記逆止弁２を一つ設けることで足りる。【００２０】  上記構成によれば、熱溶着された縦縁部１４ａが横方向へ突出し、内側へ折りたたみ癖を有するマチ部としての左右両側面７・８が袋体を収容するダンボール箱の内側面に圧接するのを免れることから、当該左右両側面部７・８における前記底面部４寄り下部に前記逆止弁２を設けることで、逆止弁２がダンボール箱の内側面に圧接するのを免れる。これにより逆止弁２の逆止機能が確保される。なお、この図示例において、���止弁２は左右両側面部７・８に各１個ずつ計２個配設しているが、個数は逆止弁２のガス流通量、袋体１の形状、内容積等によって決まるものであって、２個ずつ計４個でもよく、また、左右両側面部７・８の他に前後両面部５・６に設けるようにしても差し支えない。【００２１】  上記シール部３は、袋体１の開口端から所定寸法例えば３０〜５０ｍｍの間隔を隔てて設けられている。このシール部３は開口及び左右両側面部７・８の上縁部１４ｃ・１４ｃを平たく閉ざした状態にして、その全幅に亘って気密封止するのであるが、この気密封止するための構造は、前記三層構造の少なくとも内面側の層が熱溶着可能な樹脂コーティング処理を施してなり、上記シール部３をシーラーなどの加熱装置を用いて均一に加熱させることにより簡単・確実に気密封止できる。なお、シール部３を構成する熱溶着可能な樹脂コーティング（熱溶着シール膜）は、少なくとも袋体１の前記開口９寄りの所定個所の内側に施してあれば足りる。【００２２】  上記シール部３は、リサイクル可能な構造としたものが例示されており、上下に平行に隣合わせた数行の溶着シール部分１１ａ〜１１ｄと、各溶着シール部分１１ａ〜１１ｄ間に平行に印刷表示された切り取り線１２とを備えている。具体的には、４個の溶着シール部分１１ａ〜１１ｄはそのシール間隔が約４０ｍｍ〜約５０ｍｍに設定され、各切り取り線１２は各溶着シール部分１１ａ〜１１ｄの中間に外側から視認可能に印刷表示して設けられている。なお、上記溶着シール部分１１ａ〜１１ｄについても外側から視認可能に印刷表示しておくのが望ましい。【００２３】  このように設けてなる上記シール部３は、袋体１内に茶葉等を収容して最初にシールする場合には、開口９に一番近い溶着シール部分１１ａを熱溶着シールする。この袋体１内から茶葉等を取り出すときは、上記溶着シール部分１１ａの隣の切り取り線１２に沿って袋体１を裁断する。２回目にシールする際には、上記切り取り線１２に最も近い溶着シール部分１１ｂを熱溶着シールすれば良い。同じ要領にて順次裁断、熱溶着シールを行うことで袋体１を都合４回反復使用が可能となる。シール部３における溶着シール部分１１ａ〜１１ｄの個数は、袋体１の耐用強度、収納品の種類などによって適宜決定されるものであり、本例の４個に限定されない。【００２４】  図４は本考案の第２の実施形態に係る角底袋体の図３相当図である。この角底袋体１は、中間層にアルミニウム箔の層を有する三層構造で、少なくともその内面側の層は溶着可能な樹脂コーティング処理を施してなる製袋用シートを素材として、底面部４及び該底面部４の周りで立ち上がる前後両面部５，６、左右両側面部７，８を有し、かつ頂部に広口の開口９が設けられてなり、反復使用可能なマチ付の袋体に形成されている。この袋体１の左右両側面部７・８は、前後両面部５・６に比して狭い幅のマチ部として機能するように形成されていて、実線で示す縦中心線と一体の谷折り線１０とその谷折り線１０の下端から底面部４の両角に向け斜めに延びる谷折り線１０ｂ・１０ｂを有している。【００２５】  この角底袋体１は、不使用時には左右両側面部７・８を上記谷折り線１０・１０ｂ・１０ｂに沿って折り込むことにより平坦折り畳みが可能で、使用時には左右両側面部７・８に対して底面部４を略直角に伸ばし、その左右両側面部７・８を拡げて縦置きすることにより、その内部に茶葉等の農産品及びドライアイスを収容できる。このガゼット袋体１は、その後開口９寄りのシール部３を気密封止することにより、ガスバリヤ性を有する密封袋となし得るように構成されている。【００２６】  この袋体１の左右両側面部７・８における底面部４寄りの下部には、袋体１内からの気体の流出を許容し該袋体１内への気体の流入を阻止する逆止弁２が設けられている。この逆止弁２は、前記左右両側面部７・８における前記底面部４寄り下部の縦中心線１０ａを挟む両側に対をなすように２個設けられている。この袋体１のその他の点は第１の実施形態と同様に構成されている。なお、上記の実施形態では茶葉の上に直接ドライアイスを投入するものとして説明したが、茶葉の上に断熱材等を介してドライアイスを投入しても良い。そして昇華を促進する上で粒状ドライアイスを用いるこが好ましいが、昇華の促進を必要としない場合には、ドライアイスの形状は粒状に限らない。また、上記の実施形態では茶葉等の収納袋について例示したが、本考案は冒述したように広く農産品の収納袋に適用できる。
【実施例】
【００２７】  茶葉を収納する保質用収納袋について、袋体における逆止弁２の位置変化と投入粒状ドライアイス量変化とが、袋体内部の残存酸素濃度の推移にどのような影響を与えるかについて試験した。
◎試験条件：
（１）茶葉は荒茶２０ｋｇを袋体に投入した。
（２）逆止弁（気抜きバルブ）の位置を、上部２個、中間左右各１個、下部左右各１個それぞれ設定したものを使用してその影響を調べた。
（３）粒状ドライアイスは簡易角ドライアイスを使用し、それぞれ２００ｇ，３５０ｇ，５００ｇ，７００ｇを茶葉の上に投入したものについて試験した。
その結果は下記表１，２に示す通りとなった。【００２８】
【表１】
0003110891.tif 000003
【００２９】
【表２】
0003110891.tif 000004
【００３０】◎評価：
（１）表１の試験結果では、逆止弁（気抜きバルブ）の位置が上部２個の「テスト１」に対して、中間左右各１個の「テスト２」の方が何れの経過時間を取っても酸素濃度が低く、また、下部左右各１個の「テスト３」の方が更に一層、酸素濃度が低くなる結果が得られた。従って、逆止弁の位置は下部ほど効果があることを証している。
（２）表２の試験結果では、ドライアイスの投入量は多いほど袋内の酸素濃度は低くなることが判っているが、経済性を考慮すると適当量が選定される。
以上の評価から明らかなように、逆止弁は上方部に設けるよりも下方部に設ける方がドライアイス昇華ガスの酸素に対する置換効率が高くなることが立証されたものであって、従って、本考案の主たる目的はここに十分達成されたといえる。
【図面の簡単な説明】
【００３１】
【図１】  本考案の第１の実施形態に係るガゼット袋体の開口を開いた状態を示す外観斜視図である。
【図２】  図１の袋体を縦置してその一部を省略・切欠して示す外観斜視図である。
【図３】  図１の袋体内に茶葉等の農産品を収納して開口を閉じるとともに一部を省略・切欠して示す外観斜視図である。
【図４】  本考案の第２の実施形態に係る角底袋体の図３相当図である。
【符号の説明】
【００３２】  １…袋体、２…逆止弁、３…シール部、４…底面部、５…前面部、６…後面部、７…左側面部、８…右側面部、９…開口、１０…左右両側面部の縦中心線、１０ａ…底面部寄り下部の縦中心線、１１ａ〜１１ｄ…溶着シール部分、１２…切り取り線。
【図１】
0003110891.tif 000005
【図２】
0003110891.tif 000006
【図３】
0003110891.tif 000007
【図４】
0003110891.tif 000008